(57)【要約】　　　（修正有）【課題】この発明は、脚柱の折畳用ヒンジを兼ねるロック装置を用いて、脚柱が嵩張ることなく折畳むことができると共に、展開時の安定性に優れた折畳構造体に関する。【解決手段】このロック構造では、天板Ａに固定されて、一方に脚柱を枢着した支持ブラケット２と、該支持ブラケットの他方に枢着されると共に、一方に係止部を有し他方に操作片を有してロック方向に付勢されたロックレバー４と、前記脚柱に固定されて、上記ロックレバーの係止部が常時接するように設けられたロック用カム片３０とからなり、該ロック用カム片には、折畳ロック受部と展開ロック受部を有しており、脚柱の上端にはスタンドストッパ８０が形成されて、脚柱の展開起立時に、基板に固定された支持ブラケットのべース面部と衝合しうるようになっていることを特徴とする。【選択図】　　図２
2004041330.tif 000002
【特許請求の範囲】
【請求項１】
天板や座板などの基板上に離間して対峙する一対のロック装置が固設されており、該ロック装置が、
前記基板に固定されると共に、
脚柱を構成する一対の支脚部の上部間を連結する上部横架片に固定されたカム用ブラケットと、
前記基板に固定されると共に、前記カム用ブラケットを枢着して脚柱を折畳可能に支持する支持ブラケットと、
該支持ブラケットの他方に枢着されると共に、一方に係止部を有し他方に操作片を有してロック方向に付勢されたロックレバーと、
前記カム用ブラケットに形成されて、上記ロックレバーの係止部が常時接するように設けられたロック用カム片とを有しており、
該ロック用カム片が、脚柱に固定されたカム用ブラケットの側板に形成され、上記カム片には、脚柱を折畳む際に係止部が脚柱との間に入り込むための通路部と、該通路部内に凹設されて係止部と係合する折畳ロック受部とを有しており、脚柱の上端にはスタンドストッパが形成されて、脚柱の展開起立時に、基板に固定された支持ブラケットのべース面部と衝合しうるようになっていることを特徴とする折畳構造体。
【請求項２】
上部横架片が、支脚部を連結する側を折畳み時に前記基板側に接近するように形成して、脚柱折畳時に支脚部が前記上部横架片より基板に接近するように配置してなることを特徴とする請求項１に記載の折畳構造体。
【請求項３】
支脚部が、上部横架片の端部開口に嵌合可能な横桁連結部を有する脚受部と、該脚受部に嵌合される杆状の脚柱体とからなっており、
前記脚受部の中空内の内壁面が、漸次先端部に向かって幅狭になるテーパ面に形成されており、先端部に放射状に延びる掛止突部を有しており、
脚柱体が、脚受部に嵌合しうるテーパ面状の外周を先端に有すると共に、掛止突部に係合する溝部を掛止突部と対応する個所に設けてなることを特徴とする請求項１または２に記載の折畳脚柱のロック構造。
【発明の詳細な説明】
【０００１】
【発明の属する技術分野】
この発明は、脚柱折畳時の厚みを薄くすることができて、展開時の安定性に優れた折畳構造体に関する。
【０００２】
【従来の技術】
従来、折畳可能な脚柱をロックする構造として、実公昭６１−３２５０７号のロック装置が知られている。この構造では、展開時には脚柱をロックすることができるが、折畳時にはロックしないので、折畳んだ脚柱を持ち上げて運ぼうとすると不意に展開方向へ動くなどの問題があった。
そこで、同一のロックレバーで、脚柱の展開時だけでなく折畳時にも脚柱をロック乃至ロック解除することができ、且つロック解除の操作性を高めたロック装置として本出願人は特願平２００２−５９５９５号を既に提案した。
この種のロック装置を用いて脚柱を折畳むと、ロック装置の上に折畳んだ脚柱が配置されて嵩張るため、余分なスペースが必要となる。
【０００３】
【発明が解決しようとする課題】
この発明は、上記欠点を解消するために創案されたものであって、その主たる課題は、脚柱の折畳用ヒンジを兼ねるロック装置を用いて、脚柱が嵩張ることなく折畳むことができると共に、展開時の安定性に優れた新規な折畳構造体を提供することにある。
この発明の別の課題は、コンパクトに折畳むことができると共に、信頼性の高い折畳構造体を提供することにある。
【０００４】
【課題を解決するための手段】
上記課題を達成するため、請求項１の発明では、
天板や座板などの基板上に離間して対峙する一対のロック装置が固設されており、該ロック装置が、前記基板に固定されると共に、脚柱を構成する一対の支脚部の上部間を連結する上部横架片に固定されたカム用ブラケットと、前記基板に固定されると共に、前記カム用ブラケットを枢着して脚柱を折畳可能に支持する支持ブラケットと、該支持ブラケットの他方に枢着されると共に、一方に係止部を有し他方に操作片を有してロック方向に付勢されたロックレバーと、前記カム用ブラケットに形成されて、上記ロックレバーの係止部が常時接するように設けられたロック用カム片とを有しており、該ロック用カム片が、脚柱に固定されたカム用ブラケットの側板に形成され、上記カム片には、脚柱を折畳む際に係止部が脚柱との間に入り込むための通路部と、該通路部内に凹設されて係止部と係合する折畳ロック受部とを有しており、脚柱の上端にはスタンドストッパが形成されて、脚柱の展開起立時に、基板に固定された支持ブラケットのべース面部と衝合しうるようになっている、という技術的手段を講じている。
また、請求項２の発明では、
上部横架片が、支脚部を連結する側を折畳み時に前記基板側に接近するように形成して、脚柱折畳時に支脚部が前記上部横架片より基板に接近するように配置してなる、という技術的手段を講じている。
更に、請求項３の発明では、
前記支脚部が、上部横架片の端部開口に嵌合可能な横桁連結部を有する脚受部と、該脚受部に嵌合される秤状の脚柱体とからなっており、
前記脚受部の中空内の内壁面が、漸次先端部に向かって幅狭になるテーパ面に形成されており、先端部に放射状に延びる掛止突部を有しており、
脚柱体が、脚受部に嵌合しうるテーパ面状の外周を先端に有すると共に、掛止突部に係合する溝部を掛止突部と対応する個所に設けてなる、という技術的手段を講じている。
【０００５】
【発明の実施の形態】
以下に、この発明の折畳構造体をテーブルに適用した場合の好適実施例について図面を参照しながら説明する。
図１および図２に示す第１実施例のテーブルＴは、天板Ａと、該天板Ａに展開乃至折畳白在に枢着された脚柱５と、該脚柱５を展開乃至折畳位置でロックするロック装置１とを有している。
【０００６】
図示例の脚柱５は、一対の支脚部５１と該支脚部５１間の上端間を連結する上部横架片５２とからなる略倒立コ字状からなっている。
この脚柱５は、図３から図７に示すように、上部横架片５２の中央に設けられたロック装置１のカム用ブラケット３を介して、天板Ａ裏面に固定された支持ブラケット２に第１ピンＰ１で枢着されて展開乃至折畳位置に回転可能に取り付けられている。
【０００７】
ここで、上部横架片５２は、図１に示すように、中央部５２ａが折畳時に水平面になるように設定されており、左右両端部５２ｂが漸次内方、即ち、脚柱展開時の内側であって、脚柱折畳時の天板Ａに向かって傾斜している。
【０００８】
そして、脚柱５が、本実施例では、図１および図８から図９に示すように、前記支脚部５１は、脚受部５３と脚柱体５４との組み合わせからなっており、脚受部５３には横桁連結部５５が固着されている。
ここで、脚受部５３は、基端が開口され先端が半球状頂部となった略筒体からなっており、該脚受部５３の開口側から脚柱体５４が挿入され、両者がネジ等で固着されて支脚部５１を形成している。
【０００９】
一方、上部横架片５２の両端部５２ｂは、左右端部が開放されて開口部５６となっており、前記横桁連結部５５を嵌合して、前記両端部５２ｂに穿設された孔部にリベットＲやボルト締めなどで固着するようになっている。
また、脚受部５３は、その中空内の内壁面が、漸次先端部に向かって幅狭になるテーパ面５３ａに形成されており、先端部には脚受部５３の軸線を中心に内周面に沿って９０度間隔に掛止突部６０を有している（図８参照）。
この掛止突部６０は、内壁面から中央に向かってやや突出する４条の掛止突部６１と、その先端で放射状、図示例では十文字状に繋がる先端突部６２とからなっており、脚受部５３を補強すると共に、脚柱体５４の当たり止めとなっている。
【００１０】
一方、脚柱体５４は、木製、合成樹脂製、あるいは金属製からなっており、脚受部５３の内壁面のテーパ面５３ａに対応するようにテーパ面状（截頭円錐状）の外周面を先端に有すると共に、掛止突部６０の掛止突部６１に係合する溝部５４ａを有し、脚柱体５４先端が、先端突部６２と衝合して位置決めされるようになっている。
【００１１】
上記のように構成されるので、図４や図７に示すように、脚柱５の折畳時には、ロック装置１により脚柱５の上部横架片５２は天板Ａの裏面より浮き上がっている。
また、上部横架片５２が両端側で折れ曲がっているので、支脚部５１は、折畳時には前記上部横架片５２より天板Ａ側に近接している。
【００１２】
なお、この発明で支脚部５１と上部横架片５２との連結構造は上記実施例に限定されないことは勿論である。
そして、上記実施例のテーブルＡをスタッキングする際には、厚みは上部横架片５２の厚みまでで納まり、コンパクトに収納することができる（図１０参照）。
なお、図中、７１は支脚部５１にネジ止めされたゴムないしエラストマ製の積重ね用クッションスペーサ、７２は支脚部５１の下端に螺着された高さ微調整用の足部である。
【００１３】
次に、ロック装置１は、図１に明瞭なように、ロックレバー４を第２ピンＰ２で枢着した支持ブラケット２と、該支持ブラケット２に第１ピンＰ１で枢着されるカム用ブラケット３との組合せからなっている。
即ち、支持ブラケット２は、ベース面部２０を一体に有しており、天板Ａの裏面にタップネジ１２等で一体に固定されている。
【００１４】
上記支持ブラケット２は、側板２ａの脚柱寄りの端部が天板Ａに対して所定角度（脚柱展開角度であって図示例では９０°）に設定された展開ストッパ２１を形成している。
従って、脚柱５の展開角度は上記展開ストッパ２１となる端部の天板Ａに対する角度によって所望の展開角度に設定することができる。
また、本実施例では、展開ストッパ２１から延出方向に突出して水平に折れ曲がる片を設けて、脚柱折畳時の上部横架片５２の中央部５２ａと衝合する折畳ストッパ２３としている。
これにより脚柱の折畳姿勢を一定に保持することができる。
【００１５】
次に、この支持ブラケット２の側板２ａの下端縁部には、後述のロックピンストッパ２２となる凹部が形成されている。
また、支持ブラケット２の側板２ａで、前記第１ピンＰ１の枢着位置から離間した位置には、ロックレバー４が第２ピンＰ２で枢着されて傾動自在となっている。
【００１６】
このロックレバー４と支持ブラケット２との間には、それぞれに固設されたフック９を介してコイルスプリング８が掛け渡されてロックレバー４をロック方向（ロックピン７が天板Ａへ接近する方向）に付勢している。
ここで、ロックレバー４は、中途位置に前記第２ピンＰ２を通す孔を設けた左右一対の側板４ａを有しており、先端には係止部となるロックピン７を固設し、後端には屈曲部を経て操作片となるレバーハンドル４１が一体に成形されている。
また、このレバーハンドル４１は、樹脂またはゴムなどでカバーして触感を高めてもよい。
【００１７】
次ぎに、上部横架片５２に固定されたカム用ブラケット３は、断面チヤンネル状からなっており、先端側（図中下端）が上部横架片５２よりも外方（図中下方）へ突出するように形成されている。
このロック用カム片３０は、展開ロック受部３２と、折畳ロック受部３５と、前記受部３２、３５間に形成されるトレースカム３４とを有しており、前記ロックレバー４のロックピン７が前記付勢力によって常時接するように形成されている。
【００１８】
ロック用カム片３０には、脚柱５の折畳時に前記レバーハンドル４１が、折畳まれた支脚部５１と天板Ａとの間で、これにほぼ平行な待機姿勢として配置されるように、前記ロックピン７が係合する位置に折畳ロック受部３５が形成される（図４、図７参照）。
本実施例では、脚柱５を折畳む際に、ロックピン７が支脚部５１との間に入り込むように支脚部５１に沿ってロック用カム片３０の基端側が切り込まれて通路部３３を形成しており、該通路部３３内でこれと直交する位置に前記折畳ロック受部３５が凹設されている。
【００１９】
そして、脚柱折畳位置における折畳ロック受部３５は、前記ロックピンストッパ２２と整合するようになっている（図４、図７参照）。
また、前記折畳ロック受部３５に連なる通路部３３の開口側は突出してロック爪部３１となって、脚柱５の展開方向の力が加わってもロックピン７を拘束している。
【００２０】
次ぎに、ロック用カム片３０で、脚柱５の枢着位置（Ｐ１）を支点にして折畳ロック受部３５から脚柱５の展開乃至折畳角度だけ離れた位置に展開ロック受部３２が形成されている。
そして、図３および図５に示す脚柱５の展開時には、前記ロックピン７が展開ロック受部３２に係合し、その位置で前記レバーハンドル４１が折畳時の待機姿勢とほぼ同じ姿勢となる。
【００２１】
次ぎに、上部横架片５２の中央部５２ａには、ボックス状またはブロック状のスタンドストッパ８０が固着されている。
即ち、このスタンドストッパ８０は、図示例の場合、背面部８１と、頂面部８２と、左右の側面部８３とからなっており、背面部８１の端部が上部横架片５２に溶着され、左右の側面部８３の端部がカム用ブラケット３の折畳受面３６の延長上の裏面で、上部横架片５２より突出した個所３６’に溶着されている。
【００２２】
そして、脚柱５の展開時に、スタンドストッパ８０がその頂面部８２部分で前記支持ブラケットのべース面部２０に衝合しうるように、ベース面部２０が広く設定されている。
このスタンドストッパ８０の構造は、図示例形状に限定されず、要するに強度を有する箱形やブロック体であってもよい。
これによって、脚柱５の展開時に、展開ストッパ２１が折畳受面３６と衝合して縦方向で拘束し、更にスタンドストッパが支持ブラケットのべース面部２０と衝合して横方向で拘束するので、展開し起立した脚柱を強力且つ安定して保持することができる。
【００２３】
なお、脚柱５の展開乃至折畳時において、本実施例では、受脚部５１の脚受部５３の先端が半球状となって上部横架片５２よりも天板Ａ側（図中下方）へ突出しているので、脚柱５の展開乃至折畳に伴う脚受部５３の先端の回転軌跡が常に天板Ａとぶつかることがないように、脚受部５３の位置（上部横架片５２から突出する位置）が、第１ピンＰ１の位置との関係で定められる。
また、このスタンドストッパ８０は、上部横架片５２と別体に形成した場合を例示したが上部横架片５２の一部をなすよう一体に形成されるものでもよい。
【００２４】
上記構成からなっているので、脚柱５の展開時には、図３および図５に示すように支持ブラケット２の展開ストッパ２１に支脚部５１が衝合して縦係止面となり、同時にスタンドストッパが支持ブラケットのべース面部２０と衝合して横係止面となって、それ以上の回転を規制しており、ロックレバー４のロックピン７が展開ロック受部３２に係合し展開係止点となって、脚柱５の展開姿勢をロックしている。
この際にレバーハンドル４１は、図５、図７に示すように天板Ａ裏面と略平行に離間する待機姿勢となっている。
【００２５】
そこで、このレバーハンドル４１を天板側（図中ａ方向）へ押しつけてロックレバー４を第２ピンＰ２を支点に回転すると、前記ロックピン７が展開ロック受部３２から脱して外れるので、脚柱５を第１ピンＰ１を支点にして折畳方向に回転し、支脚部５１が天板Ａに接する位置まで変位させる（図６参照）。
【００２６】
この脚柱５を折畳方向に回転させる際には、レバーハンドル４１から手を離すと、ロックピン７は付勢力によってロック用カム片３０の縁部に形成されたトレースカム３４に倣って傾動し（図６参照）、図７に示す折畳位置では前記通路部３３から展開ロック爪部３１を乗り越えて折畳ロック受部３５に自動的に没人して係合して折畳係止点で規制され、同時に折畳ロック受部３５と整合するロックピンストッパ２２に係合してロックレバー下死点で規制され、脚柱５の展開方向（ｃ方向）への逆転を拘束する。
【００２７】
本実施例では、第１ピンＰ１は第２ピンＰ２より僅かに下方に設定され、またロックピン７と各受部３２、３５との係止点は、上記Ｐ１とＰ２の間で、Ｐ１とＰ２を結ぶ線分よりも下方位置（図では上方）となり、脚柱５の逆転を規制している。
【００２８】
そして、脚柱５の折畳時にレバーハンドル４１は、脚柱５と天板Ａとの間に略平行に配置されて、脚柱５の展開位置での待機姿勢とほぼ同様の位置に戻る。
この折畳位置から、再び脚柱５を展開するには、レバーハンドル４１を同様に天板Ａに向けてａ方向に押しつけ、第２ピンＰ２を支点にしてロックレバー４を傾動しながら、脚柱５を第１ピンＰ１を支点にして展開方向に傾動し、ロックピン７を折畳ロック受部３５から外してロック爪部３１を乗り越えさせ通路部３３から抜け出させる。
【００２９】
脚柱５が静止したままであると、ロックピン７はその回転軌跡の範囲内で脚柱５に展開方向の力を与えるので、脚柱５が展開方向に付勢され展開しやすくなる。
そこで、脚柱５を掴んで更に展開方向（ｃ方向）に回転させて、図５に示した展開ストッパ２１に衝合する位置まで変位させる。これと同時に上部横架片５２の固着されたスタンドストッパ８０が、支持ブラケット２のべース面部２０上に隙間無く衝合する。
この際に、押付け力がかからなくなったロックピン７は、弾性力でロック用力ム片３０のトレースカム３４に接しこれに倣って傾動し、脚柱Ａが前記展開ストッパ２１に衝合した位置で展開ロック受部３２に自動的に没入して係合する。
そして、前述のように、この際のレバーハンドル４１の待機姿勢は、前記折畳時の待機姿勢とほぼ同一位置となる。
【００３０】
本実施例では、支持ブラケット２の側板２ａの縁部からなる展開ストッパ２１が天板Ａとのなす角度が脚柱５の展開時の保持角度となる。したがって展開時の脚柱５の角度は、垂直に限らず、下拡がりのテーパー脚のように所望の角度に設定することができる。
この脚柱５の角度設定に対応して、スタンドストッパ８０の頂面部８２も脚柱展開時にべース面部２０と隙間無く接するように傾斜角度が設定され、また展開ロック受部３２の位置設定も変更となる。
【００３１】
本実施例では、前述のようにロックレバー４を枢着した支持ブラケット２と、カム用ブラケット３から構成されているので、脚柱５の形式や形状を問わず自由に取り付けることができる。
即ち、前記実施例では脚柱５の上部横架片５２は両端側を傾斜させたが、直角に折れ曲がる構成、または段部を設けて折れ曲がる構成など、その他任意の形状であってもよい。
【００３２】
スプリング８は、第２ピンＰ２に外嵌し、一端をロックレバー４に係止し他端を支持ブラケット２の溝底面に係止して、ロックレバー４をロック方向に付勢してもよい。
また、支持ブラケット２に、折畳時の上部横架片５２の中央部５２ａと衝合する辺を設けて折畳ストッパ２３としてもよい。
【００３３】
次に、図１１に示す第２実施例のテーブルＴでは、脚柱５が上下に重ねて折畳まれる構造からなっている。
この場合、いずれか一方の脚柱５の上部横架片５２のみを、支脚部５１の連結された両端部５２ｂ側が折畳み時に前記天板Ａ側に接近するように傾斜させており、折畳時には支脚部５１が前記上部横架片５２の中央部５２ａより天板Ａ寄りに配置される。
【００３４】
また、対向する他方の脚柱（説明上、５’とする）は、上部横架片５２が扁平に形成されて両端に支脚部５１’が同一線上に配置されており、この上部横架片５２側の支脚部５１’がその上に重なるように配置する。
この構成によれば、図示のように、天板Ａの長さを可及的に短くすることができると共に、横幅も脚柱５の横幅に対応して設定することができ、一層の小型化を図ることができる。
【００３５】
なお、この実施例の場合には、支脚部５１、５１’は前記実施例のように円柱状とせずに板状としており、異なる脚柱５間の対峙する支脚部５１、５１’を上下に重ねた際に前記上部横架片５２の中央部５２ａの高さを超えないように設定されている。
その他の構成は前記実施例と同様であるので説明を省略する。
【００３６】
この発明では、天板Ａや脚柱５の素材は、例えば金属製や木製、あるいは樹脂製等であってもよく、要するに前記支持ブラケット２やカム用ブラケット３を固定しうるものであればよい。
また、このロック装置１が取り付けられるものとしては、脚柱を折畳乃至展開するものであれば、テーブルに限定されず、机や椅子その他の家具や、構造物に用いることができる。
【００３７】
また、前記支持ブラケットやカム用ブラケットの寸法は任意であり、特に回転軸の長さ方向に関しては長大なものであってもよい。またロック装置は各脚柱に１個づつ設けたが、１つの上部横架片の中央部に複数設けてもよい。
カム用ブラケット３に刻設された展開ロック受部３２、折畳ロック受部３５、およびその中間のカム面は図示例に限定されず、またカム面は複数個所に分離して設けてもよい。
更に、カム用ブラケットはロック用カム片を一対に設けた場合を例示したが、１箇所だけであってもよい。
その他要するにこの発明の要旨を変更しない範囲で種々設計変更しうること勿論である。
【００３８】
【発明の効果】
以上のように、この発明の折畳構造体では、脚柱の上部横架片の両端を基板寄りにして、ロック装置を介して折畳時に浮き上がっている脚柱の上部横架片に対して両端の支脚部を天板に接して配置することができる。
これにより、天板などの折畳構造体の基板の大きさが脚柱によって大きく制約されることがなく、基板をコンパクトにすることができる。またスタッキングするに際しても可及的に薄くすることができるのでスペースセービングに優れる。また、この発明では、脚柱展開時に縦係止面と横係止面とで脚柱と衝合してこれを保持するので、安定感が向上する。
更に、この発明では、脚柱の展開時であっても折畳時であっても、ほぼ同じ待機姿勢にあるロックレバーを基板側に押し付けることにより、それぞれのロック解除を行うことができる信頼性の高い折畳脚柱のロック装置を用いることができる。
【図面の簡単な説明】
【図１】ロック装置の取付け状態を示す斜視図である。
【図２】この発明の第１実施例を示すテーブルの斜視図である。
【図３】脚柱の展開時のロック装置を示す斜視図である。
【図４】脚柱の折畳時のロック装置を示す斜視図である。
【図５】脚柱の展開時のロック装置を示す側面図である。
【図６】脚柱の展開乃至折畳の中間におけるロック装置を示す側面図である。
【図７】脚柱の折畳時のロック装置を示す側面図である。
【図８】脚受部の一部を切り欠いた斜視図である。
【図９】脚受部と脚柱体との取付状態を示す側面図である。
【図１０】テーブルの積み重ね状態を示す正面図である。
【図１１】第２実施例のテーブルを示す斜視図である。
【符号の説明】
１　　ロック装置
２　　支持ブラケット
３　　カム用ブラケット
４　　ロックレバー
５　　脚柱
７　　ロックピン
８　　コイルスプリング
９　　スプリング用フック
１２　　取付タップネジ
２０　　ベース面部
２１　　展開ストッパ
２２　　ロックピンストッパ
３０　　ロック用カム片
３１　　ロック爪部
３２　　展開ロック受部
３３　　通路部
３４　　トレースカム
３５　　折畳ロック受部
３６　　折畳受面
３６’　突出した個所
５１　　支脚部
５２　　上部横架片
５２ａ　中央部
５２ｂ　両端部
８０　　スタンドストッパ
Ａ　　天板
Ｐ１　第１ピン
Ｐ２　第２ピン
【図１】
2004041330.tif 000003
【図２】
2004041330.tif 000004
【図３】
2004041330.tif 000005
【図４】
2004041330.tif 000006
【図５】
2004041330.tif 000007
【図６】
2004041330.tif 000008
【図７】
2004041330.tif 000009
【図８】
2004041330.tif 000010
【図９】
2004041330.tif 000011
【図１０】
2004041330.tif 000012
【図１１】
2004041330.tif 000013